(57)【特許請求の範囲】
【請求項１】
リング状パッキンを装着部に装着するためのリング状パッキンの装着用治具において、
リング状パッキンのリング内に挿入される挿入部を一端に形成し、
前記リング状パッキンを装着する土手によって形成された装着部の面積よりも大きな断面積を有して該リング状パッキンを拡張する拡張部を他端に形成し、
前記一端と他端との間に断面積を連続して増加する柱部を形成し、
前記他端の端面には、前記土手の内側に形成された凹部に嵌合する突出部を設け、
前記凹部と前記突出部が嵌合したとき、前記土手に形成した複数個所の係止爪が係合されて一体となることを特徴とするリング状パッキンの装着用治具。
【請求項２】
前記突出部は、楕円状に形成された前記凹部に嵌合されることを特徴とする請求項１に記載のリング状パッキンの装着用治具。
【請求項３】
前記挿入部、柱部及び拡張部は断面を円形状又は楕円状としたことを特徴とする請求項１に記載のリング状パッキンの装着用治具。
【発明の詳細な説明】
【技術分野】
【０００１】
本発明は、各種機器の防水のために用いられるリング状パッキンを装着部に装着するための装着用治具に関する。
【背景技術】
【０００２】
例えば、各種機器における携帯用電話機にあっては、外部メモリ、電子カメラ、イアホンなどを適宜に使用することがある。そのため、携帯用電話機にはこれらの外部機器用のコネクタが設けられている。一方、携帯用電話機は屋外で使用されて雨に当ったり、水没させてしまったりするので、コネクタ部分に防水機構を施して内部の電気回路などの電子部品を保護している。この防水機構は、コネクタ部分を蓋で覆うと同時に装着されたリング状パッキンを圧縮するものが用いられている。
【０００３】
このようにして確実な密封状態を得るためには、リング状パッキンが均一に伸張されて装着させていることが重要である。リング状パッキンが部分的に過度に伸張されているとその部分に隙間を生じてしまい確実な密封状態が得られない。一方、リング状パッキンが部分的に十分に伸張されず径の太いところにおいては、この部分が装着部の正常な位置からはみ出してしまい蓋を浮き上がらせてしまうなどの弊害を生じさせる。
【０００４】
従来においては、下記の特許文献１（特開平７−２６６２２１号公報）に開示されているように、リング状パッキンに相当するOリングが局部的に伸ばされたり、ねじられた状態で取り付けられたりしないようにした技術が提案されている。これは、加圧盤の底面に形成した直視できないOリング取付溝にOリングを嵌合させるものである。
【０００５】
すなわち、この特許文献１に開示された技術は、局部的な伸びなどを生じさせないために加圧盤の底面に対向させて取付プレートを配置し、取付プレートの上面にOリング取付溝と同一径のOリング嵌合溝を設けたものである。Oリング取付溝にOリングを取り付けるには、Oリング嵌合溝にOリングを配置して加圧盤を下げて取付プレートを押圧し、Ｏリング嵌合溝からOリング取付溝にOリングを移して取り付けるようにしたものである。
【特許文献１】特開平７−２６６２２１号公報（段落［０００６］〜段落［００１２］）
【発明の開示】
【発明が解決しようとする課題】
【０００６】
しかしながら、リング状パッキンを土手によって形成される装着部に装着する場合は、リング状パッキンが土手の外側に装着されるので、リング状パッキンを一旦大きく伸ばす必要がある。そのため、上記特許文献１に開示されたOリング嵌合溝とＯリング取付け溝を向かい合わせてＯリングを移行させるような従来技術を適用することができない。
【０００７】
従って、リング状パッキンを土手によって形成される装着部に装着する場合には、手作業によってリング状パッキンを伸ばしながら装着部に装着する方法をとらざるを得ない。そのため、リング状パッキンを均一な伸張状態で装着することが困難であった。特に、径の小さいリング状パッキンを用いている場合は好ましい状態で装着することが極めて難しかった。
【０００８】
そこで、本発明は、上記の問題点に鑑みなされたものであり、各種機器の防水のために用いられる土手によって形成された装着部にリング状パッキンを均一な伸張状態で装着する装着用治具を提供することを目的とする。
【課題を解決するための手段】
【０００９】
前記課題を解決するために、本願の請求項１に係るリング状パッキンの装着用治具の発明は、リング状パッキンを装着部に装着するためのリング状パッキンの装着用治具において、リング状パッキンのリング内に挿入される挿入部を一端に形成し、前記リング状パッキンを装着する土手によって形成された装着部の面積よりも大きな断面積を有して該リング状パッキンを拡張する拡張部を他端に形成し、前記一端と他端との間に断面積を連続して増加する柱部を形成し、前記他端の端面には、前記土手の内側に形成された凹部に嵌合
する突出部を設け、前記凹部と前記突出部が嵌合したとき、前記土手に形成した複数個所の係止爪が係合されて一体となることを特徴とする。
【００１０】
また、本願の請求項２に係るリング状パッキンの装着用治具の発明は、前記突出部は、楕円状に形成された前記凹部に嵌合されることを特徴とする。
【００１１】
また、本願の請求項３に係るリング状パッキンの装着用治具の発明は、前記挿入部、柱部及び拡張部は断面を円形状又は楕円状としたことを特徴とする。
【発明の効果】
【００１２】
本発明は、上述した解決手段により以下に述べるとおりの優れた効果を奏する。
【００１３】
即ち、本願の請求項１及び２に係る発明のリング状パッキンの装着用治具によれば、リング状パッキンのリング内に挿入部を挿入することにより、リング状パッキンは装着用治具の一端側に取付けられ、その後、他端方向に移動させることにより徐々に均一に拡張させることができるようになる。
【００１４】
そして、他端を装着部に当てた状態において、拡張部に位置されたリング状パッキンは装着部の面積よりも大きく拡張されているので、そのまま土手の外側から装着される。従って、リング状パッキンは装着部に伸張にむらのない状態で装着されるので、全域に亘って均一な圧縮状態となって装着部における密封が確実となる。また、部分的に過度な圧縮状態を生じないので経年変化によって密封状態の劣下を生じない。
【００１５】
また、突出部を土手の内側の凹部に嵌合させることにより装着用治具と加圧蓋とを一体にできるので、リング状パッキンを装着用治具で拡張させてから加圧蓋の装着部に装着する連続的な作業が容易となる。
【００１６】
また、本願の請求項３に係る発明のリング状パッキンの装着用治具によれば、リング状パッキンは挿入部、柱部及び拡張部を移動させて拡張される際に、これら挿入部、柱部及
び拡張部の断面が円形状又は楕円状であるために均一に伸張させることが容易となる。その結果、装着部に装着されるリング状パッキンは伸張状態にむらがなくなり密封状態が確実なものとなる。
【発明を実施するための最良の形態】
【００１７】
以下、本発明の具体例を実施例及び図面を用いて詳細に説明する。ただし、以下に示す実施形態は、本発明の技術思想を具体化するための一実施の形態を例示するものであって、本発明をこの実施の形態に特定することを意図するものでなく、特許請求の範囲に含まれるその他の実施形態のものにも等しく適用し得るものである。
【実施例】
【００１８】
以下、本発明の実施例について図面を参照して説明する。図１は実施例におけるリング状パッキンのリング内に挿入部を挿入した状態の装着用治具を示す斜視図、図２は実施例に適用されるコネクタ部が隣接して２個設けられている携帯用電話機を示す斜視図、図３は図２におけるリング状パッキンを用いて密封するコネクタ部分を示す斜視図、図４は図３におけるコネクタ部分を覆う加圧蓋を示す斜視図、図５は実施例における装着用治具と加圧蓋とを一体にした状態を示す斜視図、図６は実施例における装着用治具と加圧蓋とを一体にした状態を示す側面図、図７は図６のＡ−Ａ線断面図である。
【００１９】
図１は装着用治具１を示し、この装着用治具１は全体的に円柱状に形成され、リング状パッキン２のリング内に挿入させるために一端に形成された挿入部１０と、リング状パッキン２を拡張する太さで他端に形成された拡張部１１と、挿入部１０と拡張部１１との間で断面積が連続して増加する形状で形成された柱部１２とから構成されている。
【００２０】
図２はリング状パッキン２を適用した携帯用電話機３を示すが、このリング状パッキン２の装着個所は携帯用電話機３の側面に設けられたコネクタ部４を覆う加圧蓋５である。
【００２１】
コネクタ部４は、図３に詳しく示されているように、楕円状に形成されたコネクタ用凹部４０と、コネクタ用凹部４０内に配置されたコネクタ４１と、コネクタ用凹部４０の外側に形成されたガイド用孔４２とから構成されている。コネクタ部４は常時、加圧蓋５で覆われているが、加圧蓋５を取外すことによってコネクタ４１に外部機器を接続することができるようになっている。
【００２２】
加圧蓋５は合成樹脂材からなり、図４に詳しく示されているように、裏面に設けられコネクタ用凹部４０に嵌合される楕円状の土手５０と、土手５０の外周面に形成されたリング状パッキン２を位置させるための溝５１と、ガイド用孔４２に挿入されるガイド用ピン５２とから構成されている。ここで、土手５０と溝５１とによってリング状パッキン２を装着するための装着部５３が形成されている。
【００２３】
また、ガイドピン５２の先端には、ガイド用孔４２の底に形成された凹部分（図示せず）に係合する膨出部５４が形成されている。更に、土手５０には複数個所に係止爪５５が形成され、コネクタ用凹部４０には係止爪５５を係合させるための係合用切り欠き４３が形成されている。
【００２４】
装着用治具１における他端の端面には、図１及び図５〜図７で示すように、土手５０で囲まれて形成される加圧蓋側凹部５６に嵌合される突出部１３が設けられている。
【００２５】
次に、上述した本発明の実施例による装着用治具１を用いてリング状パッキン２を装着部５３に装着する手順を説明する。
【００２６】
まず、図５〜図７で示すように、加圧蓋５は加圧蓋側凹部５６に突出部１３を嵌合して装着用治具１と一体にする。そして、挿入部１０の先端部をリング状パッキン２のリング内に挿入する。その後、リング状パッキン２を均一に伸張させながら柱部１２を移動させ拡張部１１へと至らしめる。拡張部１１に至ったリング状パッキン２は更に移動させると装着用治具１から外れて土手５０へと移る。土手５０に移ったリング状パッキン２は収縮して溝５１に位置される。
【００２７】
その後、加圧蓋５は、加圧蓋側凹部５６に突出部１３が嵌合している状態を解除して装着用治具１から分離する。分離された加圧盤５は携帯用電話機３のコネクタ部４に取付けてこれを覆う。
【００２８】
この加圧蓋５のコネクタ部４への取り付けは次のように行う。すなわち、ガイドピン５２をガイド用孔４２に挿入して加圧蓋５の位置決めを行ってから、加圧蓋５を強く押して膨出部５４をガイド用孔４２の底の凹部に係合させると同時に、係止爪５５を係合用切り欠き４４に係合させて行う。取り付け状態においては、装着部５３に装着されたリング状パッキン２がコネクタ用凹部４０の側壁との間で圧縮され、コネクタ用凹部４０内への浸水を阻止するようになる。
【００２９】
上述した本発明の実施例によれば、リング状パッキン２のリング内に挿入部１０を装着することにより、リング状パッキン２は装着用治具１の一端側に取付けられ、その後、他端方向に移動させることにより徐々に均一に拡張される。そして、他端の端面を装着部５３に当てた状態において、拡張部１１に位置されたリング状パッキン２は装着部５３の面積よりも大きく拡張されているので、そのまま装着部５３の外側から収縮しながら装着される。従って、リング状パッキン２は装着部５３に伸張にむらのない状態で装着されるので、全域に亘って均一に圧縮されてコネクタ部４を密封する。
【００３０】
また、装着用治具１と加圧蓋５は突出部１３を加圧蓋側凹部５６に嵌合することにより一体となっている。そのため、リング状パッキン２は装着用治具１で拡張された後に連続して加圧蓋５の装着部５３に装着される。特に、リングの径が小さいリング状パッキン２を装着する場合には、作業が容易となる。
【００３１】
更に、挿入部１０、柱部１２及び拡張部１１の断面が円形状であるため、リング状パッキン２は挿入部１０から拡張部１１への移動による拡張の際に均一に伸張させることが容易となる。そのため、装着部５３に装着されたリング状パッキン２には伸張状態にむらを生じさせない。
【００３２】
尚、本発明の実施例においては、挿入部１０、柱部１２及び拡張部１１は断面を真円としたが、リング状パッキン２を均一に伸張させることが可能な範囲で楕円状であってもよい。
【００３３】
尚、また、本発明の実施例においては、装着部５３は加圧蓋５側に設けたものであるが、コネクタ部４側に設けたものであってもよい。
【図面の簡単な説明】
【００３４】
【図１】図１は、本発明の実施例におけるリング状パッキンのリング内に挿入部を挿入した状態の装着用治具を示す斜視図である。
【図２】図２は、本発明の実施例に適用されるコネクタ部が隣接して２個設けられている携帯用電話機を示す斜視図である。
【図３】図３は、図２におけるリング状パッキンを用いて密封するコネクタ部分を示す斜視図である。
【図４】図４は、図３におけるコネクタ部分を覆う加圧蓋を示す斜視図である。
【図５】図５は、本発明の実施例における装着用治具と加圧蓋とを一体にした状態を示す斜視図である。
【図６】図６は、本発明の実施例における装着用治具と加圧蓋とを一体にした状態を示す側面図である。
【図７】図７は、図６のＡ−Ａ線断面図である。
【符号の説明】
【００３５】
１          装着用治具
２          リング状パッキン
３          携帯用電話機
４          コネクタ部
５          加圧蓋
１０        挿入部
１１        拡張部
１２        柱部
１３        突出部
４０        コネクタ用凹部
４１        コネクタ
４２        ガイド用孔
４３        係合用切り欠き
５０        土手
５１        溝
５２        ガイド用ピン
５３        装着部
５４        膨出部
５５        径止爪
５６        加圧蓋側凹部
【図１】
0005127320.tif 000002
【図２】
0005127320.tif 000003
【図３】
0005127320.tif 000004
【図４】
0005127320.tif 000005
【図５】
0005127320.tif 000006
【図６】
0005127320.tif 000007
【図７】
0005127320.tif 000008